(57)【特許請求の範囲】
【請求項１】
第一液容器１の口頸部２乃至胴部３の内周面適所に下向き段部４を形成し、その口頸部２の外周に装着筒５を着脱自在に装着し、該装着筒５の内側に該装着筒５の上端と連続した筒体６を配して、該筒体６を上記口頸部２乃至胴部３内へと遊挿して下端を上記下向き段部４の下方にまで伸出させ、上記装着筒５の上にその筒体６の上端と連通させて第二液容器７を装備させ、上記筒体６の内側に空気置換パイプ８を立設し、また、その筒体６の下端に中栓９を着脱可能に嵌合させ、該中栓９には外周縁から一乃至数個の傾斜突片１０を突出させて、各傾斜突片１０の先端を上記下向き段部４に対峙させたことを特徴とする二液混合容器。
【請求項２】
第一液容器１の口頸部２乃至胴部３の内周面適所に下向き段部４を形成し、その口頸部２の外周に装着筒５を着脱自在に螺着し、該装着筒５の内側には該装着筒５の上端から内向きフランジ１１を介して筒体６を垂設して、該筒体６を上記口頸部２乃至胴部３内へと遊挿して下端を上記下向き段部４の下方にまで伸出させ、上記内向きフランジ１１の上面から嵌合内筒１２と支持外筒１３とを起立させて、両筒１２，１３間に倒立させた第二液容器７の口頸部１４を嵌合固定させ、上記筒体６内の中間部に水平板１５を設け、該水平板１５の一半部に上下に開通する空気置換パイプ８を立設して先端を上記第二液容器７内にまで伸出させるとともに、水平板１５の他半部に上下に開通させて短い液体流通パイプ１６を垂設し、また、上記筒体６の下端に中栓９を着脱可能に嵌合させ、該中栓９には外周縁から一乃至数個の傾斜突片１０を突出させて、各傾斜突片１０の先端を上記下向き段部４に対峙させたことを特徴とする二液混合容器。
【請求項３】
第一液容器１の口頸部２乃至胴部３の内周面適所に下向き段部４を形成し、その口頸部２の外周に装着筒５を着脱自在に螺着し、該装着筒５の内側には該装着筒５の上端から内向きフランジ１１を介して筒体６を垂設して、該筒体６を上記口頸部２乃至胴部３内へと遊挿して下端を上記下向き段部４の下方にまで伸出させ、上記内向きフランジ１１の上面から嵌合内筒１２と支持外筒１３とを起立させて、両筒１２，１３間に倒立させた第二液容器７の口頸部１４を嵌合固定させ、上記筒体６内には中間部内周に配設した適数の連結片１７を介して空気置換パイプ８を立設して先端を上記第二液容器７内にまで伸出させ、また、上記筒体６の下端に中栓９を着脱可能に嵌合させ、該中栓９には外周縁から一乃至数個の傾斜突片１０を突出させて、各傾斜突片１０の先端を上記下向き段部４に対峙させたことを特徴とする二液混合容器。
【発明の詳細な説明】
【０００１】
【発明の属する技術分野】
本発明は、個別に収容した二液を使用直前に混合させる二液混合容器に関するものである。
【０００２】
【従来の技術】
従来、区分して収容した二液を使用直前に混合させて使用する二液混合容器は、既に各種のものが知られている（例えば、実開平４‐９７０４２  号公報、実開平４‐６２６２７  号公報等）。
【０００３】
【発明が解決しようとする課題】
しかし、従来のものでは、構造上、液体の収容量が少量に制限されるとか、液体の充填が容易でないとか、組み立て（組み合わせ）が容易でないとか、混合の的確性に欠けるとか、混合操作が面倒であるとか、構造が複雑で、製作が容易でなく、コスト高になるとか、様々な問題点があった。
そこで、本発明は、これらの問題点を一掃しようとするものであり、更に進めて、混合操作時における容器内での空気の置換を改善して、上方の液体の流下をより速くしようとするものである。
【０００４】
【課題を解決するための手段】
かかる観点から、請求項１の発明は、第一液容器１の口頸部２乃至胴部３の内周面適所に下向き段部４を形成し、その口頸部２の外周に装着筒５を着脱自在に装着し、該装着筒５の内側に該装着筒５の上端と連続した筒体６を配して、該筒体６を上記口頸部２乃至胴部３内へと遊挿して下端を上記下向き段部４の下方にまで伸出させ、上記装着筒５の上にその筒体６の上端と連通させて第二液容器７を装備させ、上記筒体６の内側に空気置換パイプ８を立設し、また、その筒体６の下端に中栓９を着脱可能に嵌合させ、該中栓９には外周縁から一乃至数個の傾斜突片１０を突出させて、各傾斜突片１０の先端を上記下向き段部４に対峙させたことを特徴とする。
【０００５】
請求項２の発明は、第一液容器１の口頸部２乃至胴部３の内周面適所に下向き段部４を形成し、その口頸部２の外周に装着筒５を着脱自在に螺着し、該装着筒５の内側には該装着筒５の上端から内向きフランジ１１を介して筒体６を垂設して、該筒体６を上記口頸部２乃至胴部３内へと遊挿して下端を上記下向き段部４の下方にまで伸出させ、上記内向きフランジ１１の上面から嵌合内筒１２と支持外筒１３とを起立させて、両筒１２，１３間に倒立させた第二液容器７の口頸部１４を嵌合固定させ、上記筒体６内の中間部に水平板１５を設け、該水平板１５の一半部に上下に開通する空気置換パイプ８を立設して先端を上記第二液容器７内にまで伸出させるとともに、水平板１５の他半部に上下に開通させて短い液体流通パイプ１６を垂設し、また、上記筒体６の下端に中栓９を着脱可能に嵌合させ、該中栓９には外周縁から一乃至数個の傾斜突片１０を突出させて、各傾斜突片１０の先端を上記下向き段部４に対峙させたことを特徴とする。
【０００６】
請求項３の発明は、第一液容器１の口頸部２乃至胴部３の内周面適所に下向き段部４を形成し、その口頸部２の外周に装着筒５を着脱自在に螺着し、該装着筒５の内側には該装着筒５の上端から内向きフランジ１１を介して筒体６を垂設して、該筒体６を上記口頸部２乃至胴部３内へと遊挿して下端を上記下向き段部４の下方にまで伸出させ、上記内向きフランジ１１の上面から嵌合内筒１２と支持外筒１３とを起立させて、両筒１２，１３間に倒立させた第二液容器７の口頸部１４を嵌合固定させ、上記筒体６内には中間部内周に配設した適数の連結片１７を介して空気置換パイプ８を立設して先端を上記第二液容器７内にまで伸出させ、また、上記筒体６の下端に中栓９を着脱可能に嵌合させ、該中栓９には外周縁から一乃至数個の傾斜突片１０を突出させて、各傾斜突片１０の先端を上記下向き段部４に対峙させたことを特徴とする。
【０００７】
【発明の実施の形態】
その１．
図１は、請求項１及び請求項２の発明に係る二液混合容器の実施の形態を示している。
図において、１は、口頸部２乃至胴部３の内周面適所に下向き段部４を形成した第一液容器、５は、その口頸部２の外周に着脱自在に装着した装着筒、６は、該装着筒５の内側に該装着筒５の上端と連続させて配し、かつ、その下端を上記口頸部２乃至胴部３内へと遊挿して上記下向き段部４の下方にまで伸出させた筒体である。
７は、上記装着筒５の上にその筒体６の上端と連通させて装備させた第二液容器、８は、上記筒体６の内側に立設した空気置換パイプ、９は、その筒体６の下端に着脱可能に嵌合させ、かつ、外周縁から、先端が上記下向き段部４に対峙する一乃至数個の傾斜突片１０を突設した中栓である。
なお、これらの部材は、いずれも合成樹脂により成形する。
【０００８】
更に詳細には、第一液容器１は、いわゆるボトルであり、口頸部２の外周に螺条１８を形成し、下向き段部４を口頸部２の直下に設けている。ただし、この下向き段部４の位置はこれに限るものではなく、口頸部２乃至胴部３の内周面であれば適宜である。
装着筒５は、内周に螺条１９を周設して上記口頸部２に着脱自在に螺合させており、上記筒体６を該装着筒５の上端から内向きフランジ１１を介して一体に垂設しており、該筒体６を第一液容器１の口頸部２乃至胴部３内へと遊挿して下端を上記下向き段部４の下方にまで伸出させさせている。そして、その内向きフランジ１１の内面から嵌合筒２０を一体に垂設して、該嵌合筒２０を上記口頸部２の内縁に水密に嵌合させており、また、その内向きフランジ１１の外面から嵌合内筒１２と支持外筒１３とを起立させ、該支持外筒１３の内縁に係止突条２１を周設するとともに、内周面適所に適数の回止め突条２２を配設している。
第二液容器７は、有底の胴部２３の上端に口頸部１４を備えたいわゆるボトルであり、口頸部１４の外周の適所に上記支持外筒１３の係止突条２１及び回止め突条２２と対応させて係合突条２４を周設するとともに、回止め突条２５を縦設しており、倒立させて、口頸部１４を上記嵌合内筒１２と支持外筒１３の間に嵌挿し、口頸部１４の内周を上記嵌合内筒１２と水密に嵌合させ、そして、その支持外筒１３の係止突条２１と回止め突条２２とを、係合突条２４と回止め突条２５とに相互に係合させている。
筒体６は、下端外縁に係合突条２６を周設し、筒内中間部に水平板１５を一体に設けている。
空気置換パイプ８は、上記水平板１５の一半部に上下に開通させて一体に立設しており、先端を上記第二液容器７内にまで伸出させている。そして、その水平板１５の他半部に上下に開通させて短い液体流通パイプ１６を一体に垂設している。
中栓９は、皿状で、彎曲凹没した底壁２７と、上記筒体６内へ嵌合させる背の高い内周壁２８と、上記筒体６外縁へ嵌合させる背の低い外周壁２９とを有し、該外周壁２９の周縁部から一乃至数個の傾斜突片１０を突設するとともに、外周壁内縁に筒体６の係合突条２６と対応させて係合突条３０を周設しており、その内周壁２８と外周壁２９を筒体６の下端に離脱可能に嵌合させると同時に、係合突条２６，３０相互を係合させ、各傾斜突片１０の先端を上記下向き段部４に対峙させている。
【０００９】
而して、第一液容器１には第一液を、第二液容器７には第二液を、それぞれ個別に充填するが、その際には、第一液は、第一液容器１を他から分離させた状態において口頸部２から充填し、また、第二液は、第二液容器７を筒体６等に嵌合固定させたままで正立（このとき筒体６等は倒立）させるとともに、中栓９を筒体６から離脱させた態において、筒体６を通じて充填する。
その後、筒体６に中栓９を嵌着係合させ、第二液容器７を倒立（このとき筒体６等は正立）させて、正立姿勢の中栓９付き筒体６を第一液容器１内へと口頸部２から挿入し、装着筒５を第一液容器１の口頸部２に螺合締め付けして組み立てる。
なお、その挿入において、中栓９の傾斜突片１０は、第一液容器１の口頸部２を通過する際に、該口頸部２の内周面に押され直立状態に弾性変形し、通過後再び元の傾斜状態に戻って、先端が第一液容器１内の下向き段部４に対峙し、図１の状態となる。
両液を混合させるときは、まず、装着筒５を第一液容器１の口頸部２から途中まで螺脱させる。これにより、筒体６が上昇し、中栓９の傾斜突片１０が第一液容器１の下向き段部４に突き当たって、中栓９が筒体６から抜け落ち、同時に、第二液容器７中の第二液が筒体６の上部と液体流通パイプ１６とを通じて第一液容器１内に流入して、第一液に混合され、また、第一液容器１内の空気が筒体６の下部と空気置換パイプ８とを通じて第二液容器７内へと置換されて、その第二液の流入が速められる。後は、揺振等により十分に混合させ、装着筒５を螺脱させて筒体６及び第二液容器７と共々に除去し、その混合液を口頸部２から注出すればよい。
【００１０】
その２．
図２は、請求項１及び請求項３の発明に係る二液混合容器の実施の形態を示している。
この場合は、上述のその１．（図１）のものにおいて、水平板１５と液体流通パイプ１６とを排し、空気置換パイプ８を筒体６内の中間部内周に配設した適数の連結片１７を介して筒体６内の中央に立設して先端を上記第二液容器７内にまで伸出させている。
これにより、第二液容器７中の第二液が筒体６を通じて第一液容器１内に流入して、第一液に混合され、また、第一液容器１内の空気が筒体６の下部と空気置換パイプ８とを通じて第二液容器７内へと置換されて、その第二液の流入が速められる。
その他の構造、作用等は、その１．の場合と同じにつき、説明を省略する。
【００１１】
【発明の効果】
請求項１、請求項２、請求項３の発明によれば、次の効果を奏する。
▲１▼  筒体６内に空気置換パイプ８を立設しているから、第二液容器７中の第二液を第一液容器１内へと流入させる際、第一液容器１内に存在する空気を、筒体６内を流れる第二液に阻害されることなく第二液容器７内へと速やかに置換させることができ、したがって、第二液の流入を円滑化させることができ、流入速度を速めることができる。
▲２▼  既述構造上、第一液容器１及び第二液容器７の大きさ（容積）、形状等を何らの制限もなく任意に設定でき、したがって、混合液の液量も、混合比も、自由に設定でき、また、外観形象を時代感覚にマッチした美麗なものとすることができる。
▲３▼  第一液容器１と第二液容器７とを分離させた状態で個別に各液体を充填できるので、充填が容易に行える。
▲４▼  第一液を充填した第一液容器１に、第二液を充填した筒体６等付きの第二液容器７を組み合わせるときは、筒体６に中栓９を嵌合させた後、第二液容器７を倒立させて、中栓９付き筒体６を第一液容器１内へと口頸部２から挿入し、装着筒５を第一液容器１の口頸部２に螺合締め付けすればよく、その組み立てが極めて容易である。
▲５▼  両液を混合させるときは、まず、装着筒５を第一液容器１の口頸部２から途中まで引き上げれば、筒体６の上昇に伴い中栓９の傾斜突片１０が第一液容器１の下向き段部４に突き当たることで中栓９を筒体６から的確に離脱させることができて、第二液容器７中の第二液を第一液容器１中の第一液に確実に混合させることができ、次いで、装着筒５を螺脱させることにより第一液容器１の口頸部２を簡単に開放させることができて、その操作、取り扱いが極めて容易であり、しそんじがない。
▲６▼  構造を簡潔にでき、製作が容易であり、コストを低減できる。
【図面の簡単な説明】
【図１】請求項１及び請求項２の発明に係る二液混合容器の実施の形態を示す截断側面図である。
【図２】請求項１及び請求項３の発明に係る二液混合容器の実施の形態を示す截断側面図である。
【符号の説明】
１…第一液容器                ２…口頸部
３…胴部                      ４…下向き段部
５…装着筒                    ６…筒体
７…第二液容器                ８…空気置換パイプ
９…中栓                      １０…傾斜突片
１１…内向きフランジ            １２…嵌合内筒
１３…支持外筒                  １４…口頸部
１５…水平板                    １６…液体流通パイプ
１７…連結片                    １８…螺条
１９…螺条                      ２０…嵌合筒
２１…係止突条                  ２２…回止め突条
２３…胴部                      ２４…係合突条
２５…回止め突条                ２６…係合突条
２７…底壁                      ２８…内周壁
２９…外周壁                    ３０…係合突条
【図１】
0003587931.tif 000002
【図２】
0003587931.tif 000003